【手続補正書】
【提出日】平成18年1月16日(2006.1.16)
【手続補正１】
【補正対象書類名】明細書
【補正対象項目名】発明の名称
【補正方法】変更
【補正の内容】
【発明の名称】記録再生装置
【手続補正２】
【補正対象書類名】明細書
【補正対象項目名】特許請求の範囲
【補正方法】変更
【補正の内容】
【特許請求の範囲】
【請求項１】  第１の記憶媒体に記録されているデータを読み出す第１の読み出し手段と、
上記第１の記憶手段を識別するメディア情報を、複数のメディア情報の各々に対応する付加情報を有するサーバに転送し、該サーバから転送された該メディア情報に対応する付加情報を受信する第１の通信手段と、
上記第１の読み出し手段によって上記第１の記憶媒体から読み出されたデータと、上記第１の通信手段により受信された上記付加情報とを第２の記憶媒体に記録する記録手段と、
上記第２の記憶媒体から上記データおよび上記付加情報を読み出す第２の読み出し手段と、
上記第２の読み出し手段により読み出された上記データと上記付加情報とを出力する出力手段と、
上記第２の読み出し手段により上記第２の記憶媒体から読み出された上記データおよび上記付加情報を、携帯再生装置に転送する第２の通信手段と
を備える記録再生装置。
【請求項２】  請求項１に記載の記録再生装置において、
上記第１の通信手段は、上記第１の読み出し手段によって上記第１の記憶媒体から読み出された目録データを上記サーバに送信する
ことを特徴とする記録再生装置。
【請求項３】  請求項１に記載の記録再生装置において、
上記出力手段は、上記付加情報に基づく表示が行われる表示部を備えている
ことを特徴とする記録再生装置。
【請求項４】  請求項１に記載の記録再生装置において、
上記第２の記憶媒体から読み出されたデータを再生する再生手段をさらに備えている
ことを特徴とする記録再生装置。
【請求項５】  請求項４に記載の記録再生装置において、
上記出力手段は、上記再生手段からの出力信号を可聴音に変換して出力する変換手段を備えている
ことを特徴とする記録再生装置。
【請求項６】  請求項１に記載の記録再生装置において、
上記付加情報は、少なくとも上記第１の記憶媒体に記録されているデータのタイトルデータを含んでいる
ことを特徴とする記録再生装置。
【請求項７】  請求項１に記載の記録再生装置において、
上記第１の通信手段は、上記メディア情報を上記サーバに送信すると共に、上記記録再生装置に対応するユーザ識別データを送信する
ことを特徴とする記録再生装置。
【請求項８】  請求項１に記載の記録再生装置において、
上記第１の通信手段は、上記記録手段が上記第１の記憶媒体から上記第１の読み出し手段によって読み出したデータを上記第２の記憶媒体に対して高速記録を行う際に、上記サーバに該高速記録を行う旨を示すデータを送信する
ことを特徴とする記録再生装置。
【請求項９】  請求項８に記載の記録再生装置において、
上記記録手段は、上記サーバより取得した、上記サーバにより上記高速記録を行う旨を示すデータに基づいて実行された課金処理の終了を示す課金処理終了を表すデータに基づいて、上記第１の読み出し手段によって上記第１の記憶媒体から読み出されたデータを上記第２の記憶媒体に対して上記高速記録を行う
ことを特徴とする記録再生装置。
【請求項１０】  請求項１に記載の記録再生装置において、
上記第２の記憶媒体に記憶されるデータのうち、該第２の記憶媒体から読み出されて上記携帯再生装置に転送されたデータを、上記第２の読み出し手段が読み出すことを禁止するように制御する制御手段をさらに備える
ことを特徴とする記録再生装置。
【請求項１１】  請求項１０に記載の記録再生装置において、
上記制御手段は、上記第２の記憶媒体に記憶されているデータのうち、該第２の記憶媒体から読み出されて上記携帯再生装置に転送されたデータに対して禁止フラグを立てる
ことを特徴とする記録再生装置。
【請求項１２】  請求項１１に記載の記録再生装置において、
上記携帯再生装置から読み出されたデータが再び上記第２の記憶媒体に供給されたときに、上記制御手段は、該供給されたデータに対応する該第２の記憶媒体に記録されたデータを上記第２の読み出し手段が読み出し可能とするように制御する
ことを特徴とする記録再生装置。
【請求項１３】  請求項１２に記載の記録再生装置において、
上記制御手段は、上記第２の記憶媒体に記憶されているデータに付与されている禁止フラグを、上記携帯再生装置から読み出されたデータが再び上記第２の記憶媒体に供給されたときに消去する
ことを特徴とする記録再生装置。
【請求項１４】  請求項１２に記載の記録再生装置において、
上記制御手段は、上記携帯再生装置から読み出されて上記第２の記憶媒体に供給されたデータを、該第２の記憶媒体への供給が完了した時点で、上記携帯再生装置から削除する
ことを特徴とする記録再生装置。
【請求項１５】  請求項１０に記載の記録再生装置において、
上記制御手段は、上記携帯再生装置の記憶可能な容量と上記第２の記憶媒体から読み出して上記携帯再生装置に供給するデータ量とを比較する
ことを特徴とする記録再生装置。
【請求項１６】  請求項１５に記載の記録再生装置において、
上記制御手段は、上記携帯再生装置の記憶可能な容量と上記第２の記憶媒体から読み出して該携帯再生装置に供給するデータ量とを比較した結果、該携帯再生装置の記憶可能な容量が該携帯再生装置に供給するデータ量より大きい場合に、上記第２の記憶媒体からデータを読み出して上記携帯再生装置に供給する
ことを特徴とする記録再生装置。
【請求項１７】  請求項１５に記載の記録再生装置において、
上記制御手段が、上記携帯再生装置の記憶可能な容量と上記第２の記憶媒体から読み出して該携帯再生装置に供給するデータ量とを比較した結果、該携帯再生装置の記憶可能な容量が該携帯再生装置に供給するデータ量よりも小さい場合には、上記携帯再生装置に記憶されている少なくとも一部のデータが削除される
ことを特徴とする記録再生装置。
【請求項１８】  請求項１７に記載の記録再生装置において、
上記携帯再生装置に記憶されているデータのうち再生回数の少ないデータが上記携帯再生装置から削除される
ことを特徴とする記録再生装置。
【請求項１９】  請求項１７に記載の記録再生装置において、
上記携帯再生装置に記憶されているデータのうち上記携帯再生装置に記憶された時期が古い順に削除される
ことを特徴とする記録再生装置。
【請求項２０】  請求項１７に記載の記録再生装置において、
上記制御手段は、上記携帯再生装置に記憶されているデータが削除されて該携帯再生装置に記憶可能な容量が該携帯再生装置に供給するデータ量より大きい場合に、上記第２の記憶媒体からデータを読み出して上記携帯再生装置に供給する
ことを特徴とする記録再生装置。
【請求項２１】  請求項１に記載の記録再生装置において、
上記データが音楽データであり、
上記第１の通信手段は、上記サーバから上記メディア情報に対応する付加情報として、上記音楽データのタイトル、演奏者名、作曲者名、作詞者名、歌詞、ジャケットイメージの何れかを受信する
ことを特徴とする記録再生装置。
【手続補正３】
【補正対象書類名】明細書
【補正対象項目名】０００１
【補正方法】変更
【補正の内容】
【０００１】
【発明の属する技術分野】
この発明は、記録再生装置に関する。特に、この発明は、記憶部を有する記録再生装置に関する。
【手続補正４】
【補正対象書類名】明細書
【補正対象項目名】０００８
【補正方法】変更
【補正の内容】
【０００８】
したがって、この発明の目的は、多数の音楽データの中から指定されたものを素早く再生できると共に、音楽データの付随情報を自動的に取り込み保存するようにされた記録再生装置を提供することにある。
【手続補正５】
【補正対象書類名】明細書
【補正対象項目名】０００９
【補正方法】変更
【補正の内容】
【０００９】
【課題を解決するための手段】
この発明は、上述した課題を解決するために、第１の記憶媒体に記録されているデータを読み出す第１の読み出し手段と、第１の記憶手段を識別するメディア情報を、複数のメディア情報の各々に対応する付加情報を有するサーバに転送し、サーバから転送されたメディア情報に対応する付加情報を受信する第１の通信手段と、第１の読み出し手段によって第１の記憶媒体から読み出されたデータと、第１の通信手段により受信された付加情報とを第２の記憶媒体に記録する記録手段と、第２の記憶媒体からデータおよび付加情報を読み出す第２の読み出し手段と、第２の読み出し手段により読み出されたデータと付加情報とを出力する出力手段と、第２の読み出し手段により第２の記憶媒体から読み出されたデータおよび付加情報を、携帯再生装置に転送する第２の通信手段とを備える記録再生装置である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
上述したように、請求項１に記載の発明による記録再生装置は、第１の記憶媒体に記録されているデータを読み出す第１の読み出し手段と、第１の記憶手段を識別するメディア情報を、複数のメディア情報の各々に対応する付加情報を有するサーバに転送し、サーバから転送されたメディア情報に対応する付加情報を受信する第１の通信手段と、第１の読み出し手段によって第１の記憶媒体から読み出されたデータと、第１の通信手段により受信された付加情報とを第２の記憶媒体に記録する記録手段と、第２の記憶媒体からデータおよび付加情報を読み出す第２の読み出し手段と、第２の読み出し手段により読み出されたデータと付加情報とを出力する出力手段と、第２の読み出し手段により第２の記憶媒体から読み出されたデータおよび付加情報を、携帯再生装置に転送する第２の通信手段とを備える。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】